(57)【要約】【課題】太陽電池部材の薄型化を図り、加工性が良く、耐衝撃構造の簡素化がきる。【解決手段】上部に形成された開口部２にその中心に向けて突出する鍔部７が形成された腕時計ケース１と、絶縁性フィルム１１の上面に太陽電池素子１２を形成して鍔部７の上面に配置されるリング状の太陽電池部材８と、開口部２に装着されて鍔部７の上側に配置される時計ガラス４とを備えた。従って、太陽電池部材８のベース基板として絶縁性フィルム１１を用いたので、ガラス板を用いた場合よりも、太陽電池部材８を薄くでき、且つ耐衝撃性が強いため、先行文献のような耐衝撃構造を採用する必要がなく、腕時計ケース１内への組み込み構造の簡素化が図れる。また、ベース基板が絶縁性フィルム１１であるから、加工性が良く、容易にリング状に形成できると共に、太陽電池部材８を大きくくり抜くことができ、これにより表示部分の表示面積を広くできる。【選択図】        図２
2004286620.tif 000002
【特許請求の範囲】
【請求項１】
上部に開口部が形成されていると共に、この開口部にその中心に向けて突出する鍔部が形成されたケースと、
絶縁性フィルムの上面に太陽電池素子が形成され、前記鍔部の上面に配置されるリング状の太陽電池部材と、
前記ケースの前記開口部に装着されて前記鍔部の上側に配置される保護ガラスと
を備えたことを特徴とする電子機器。
【請求項２】
前記保護ガラスと前記鍔部との間には、前記太陽電池部材を覆う透明部材が配置されていることを特徴とする請求項１に記載の電子機器。
【発明の詳細な説明】
【０００１】
【発明の属する技術分野】
この発明は、電子腕時計や携帯電話機などの電子機器に関する。
【０００２】
【従来の技術】
従来、電子機器である電子腕時計においては、腕時計ケースの上部に時計ガラスが装着され、この腕時計ケースの内部に表示部を有する時計モジュールが収納され、この時計モジュールの上部に見切り部材を介して太陽電池パネル（ソーラーパネルとも称する）が配置され、時計ガラスを通して外部光を腕時計ケース内に採り込むことにより、時計モジュールの表示部に表示された時刻などの情報が見えると共に、太陽電池パネルの太陽電池部で発電するように構成されたものがある（例えば、特許文献１参照。）。
【０００３】
【特許文献１】
特開平１１−３３７６７０号公報
【０００４】
【発明が解決しようとする課題】
この特許文献１の電子腕時計では、太陽電池パネルがベース基板としてガラス板を備え、このガラス板に太陽電池部を形成した構造で、この太陽電池パネルを見切り部材の上面に設けていることにより、見切り部材に表示開口部を時計モジュールの表示部に対応させて設け、太陽電池パネルにパネル開口部を見切り部材の表示開口部に対応させて設け、この太陽電池パネルを見切り部材の上面に貼り付けた状態で、太陽電池パネルの外周部分を時計ケースの内面から突出した突出部に貼り付けることにより、太陽電池パネルを見切り部材と共に腕時計ケース内に組み込んでいる。
【０００５】
しかしながら、このような電子腕時計では、太陽電池パネルのベース基板としてガラス板を用い、このガラス板に太陽電池部を形成した構造であるから、太陽電池パネル全体が厚くなり、しかもベース基板であるガラス板が衝撃に対して弱いため、耐衝撃構造を採用する必要がある。このため、太陽電池パネルを見切り部材に貼り付けて補強すると共に、この状態で太陽電池パネルを腕時計ケース内に組み込む際、先行文献のような緩衝部材や空間部などを設けて、耐衝撃性を確保する必要があり、このため構造が複雑となり、部品点数も増大するという問題がある。
【０００６】
また、このような電子腕時計では、太陽電池パネルのベース基板がガラス板であるため、このガラス板にパネル開口部を見切り部材の表示開口部および時計モジュールの表示部に対応させて形成する孔明け加工が面倒で、コストがかかるばかりか、ガラス板全体の強度を低下させないために、太陽電池パネルのパネル開口部を小さく形成しなければならず、このため時計モジュールの表示部の表示領域を広くすることができないという問題もある。
【０００７】
この発明の課題は、太陽電池パネルなどの太陽電池部材の薄型化を図ると共に、太陽電池部材の加工性が良く、且つ耐衝撃構造の簡素化をも図ることができるようにすることである。
【０００８】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図５に示すように、上部に開口部（２、２２）が形成されていると共に、この開口部にその中心に向けて突出する鍔部（７）が形成されたケース（腕時計ケース１）と、絶縁性フィルム（１１）の上面に太陽電池素子（１２）が形成され、前記鍔部の上面に配置されるリング状の太陽電池部材（８）と、前記ケースの前記開口部に装着されて前記鍔部の上側に配置される保護ガラス（時計ガラス４）とを備えたことを特徴とする電子機器である。
【０００９】
この発明によれば、太陽電池部材のベース基板として絶縁性フィルムを用い、この絶縁性フィルムの上面に太陽電池素子を形成したので、太陽電池部材全体の薄型化を図ることができるほか、ベース基板としてガラス板を用いた場合に比べて耐衝撃性が強いため、先行文献のような耐衝撃構造を採用する必要がなく、太陽電池部材をケースの鍔部の上面に配置するだけの簡単な構造で、容易に太陽電池部材をケース内に組み込むことができる。また、太陽電池部材のベース基板が絶縁性フィルムであるから、加工性が良く、太陽電池部材を容易にリング状に形成することができる。この場合、リング状の太陽電池部材のくり抜き部分を大きくしても、太陽電池部材全体の強度がほとんど低下しないため、太陽電池部材のくり抜き部分の開口面積を広くすることができ、これにより太陽電池部材のくり抜き部分に対応する表示部分の表示面積を広くすることができる。
【００１０】
請求項２に記載の発明は、図１および図２に示すように、前記保護ガラス（時計ガラス４）と前記鍔部（７）との間に、前記太陽電池部材（８）を覆う透明部材（透明な見切り部材１０）が配置されていることを特徴とする請求項１に記載の電子機器である。
この発明によれば、透明部材で太陽電池部材を確実に且つ良好に保護することができるほか、透明部材にシボ加工などの装飾加工により光を透過する装飾部（１３）を設けることができ、これにより太陽電池素子による発電性能を低下させずに、太陽電池部材の装飾性を高めることができ、付加価値の高いものを得ることができる。
【００１１】
【発明の実施の形態】
［第１実施形態］
以下、図１〜図３を参照して、この発明の電子機器を電子腕時計に適用した第１実施形態について説明する。
図１はこの発明の電子腕時計の要部を示した拡大断面図、図２はその主要部を更に拡大した断面図である。この電子腕時計は、腕時計ケース１を備えている。この腕時計ケース１は合成樹脂からなり、その上部には開口部２が形成されている。この開口部２は、その内周面の上部が下部よりも内径が大きく形成され、これにより内周面のほぼ中間部分に段差部３が形成された構造になっている。
【００１２】
この開口部２内における段差部３の上部側には、図１および図２に示すように、透明な時計ガラス４がパッキン５を介して装着されている。この場合、パッキン５は、軟質合成樹脂からなり、全体がリング状をなし、その断面形状が垂直部分と水平部分とを有するほぼＬ字状に形成され、その垂直部分が時計ガラス４の外周面と開口部２の上部の内周面との間に配置され、水平部分が時計ガラス４の下面と開口部２の段差部３の上面との間に配置され、且つその水平部分の内周側の先端部（図２では左端部）が開口部２の下部の内周面から腕時計ケース１の内側に向けて少し突出するように構成されている。
【００１３】
また、この腕時計ケース１には、図１に示すように、金属板６が開口部２の開口中心に向けて突出した状態でインサート成形により埋め込まれている。すなわち、この金属板６は、全体がほぼリング状に形成され、その外周部分（図１では右端部側）が上方に折り曲げられ、この折り曲げられた外周側部分付近が腕時計ケース１内に埋め込まれ、その内周側部分（図１では左端部側）が腕時計ケース１の開口部２における段差部３の下部側から腕時計ケース１内に向けて突出し、この突出した部分が鍔部７を形成するように構成されている。この場合、鍔部７は、全体がリング状に形成され、開口部２の段差部３の下部における内周面の全周から腕時計ケース１内に向けて一定の幅で突出し、その上面と時計ガラス４の下面との間に所定の隙間を形成するように構成されている。
【００１４】
この鍔部７の上面には、図１および図２示すように、太陽電池部材８が両面粘着テープ９によって貼り付けられていると共に、この太陽電池部材８を覆って透明な見切り部材１０が配置されている。太陽電池部材８は、図２および図３に示すように、ベース基板として絶縁性フィルム１１を用い、この絶縁性フィルム１１の上面に複数の太陽電池素子１２が分割形成された構造になっている。すなわち、絶縁性フィルム１１は、ＰＥＴ樹脂（ポリエチレンテレフタレート樹脂）などの絶縁性を有する合成樹脂からなり、その厚さが０．２ｍｍ程度に形成されている。
【００１５】
これにより、絶縁性フィルム１１は、ベース基板としてガラス板を用いた先行文献の場合（ガラス板の厚さは０．８ｍｍ程度）に比べて十分に薄く形成されている。また、この絶縁性フィルム１１は、図３に示すように、全体がほぼリング状に形成され、その外周側に縁部に圧接部１１ａが上方に厚く形成されている。また、太陽電池素子１２は、アモルファスシリコンからなり、図２および図３に示すように、圧接部１１ａを除く絶縁性フィルム１１の上面にほぼ同じ面積の大きさで複数に分割されて形成されている。この場合、太陽電池素子１２は、図２に示すように、その上面が圧接部１１ａの上面よりも少し低くなるように設けられている。
【００１６】
一方、見切り部材１０は、ＰＣ樹脂（ポリカーボネイト樹脂）などの透明な合成樹脂からなり、全体がほぼリング状に形成され、図１および図２に示すように、太陽電池部材８を覆って金属板６の鍔部７上に配置されるように構成されている。すなわち、この見切り部材１０は、その外周部側（図１では右端部側）における下面が太陽電池部材８の絶縁性フィルム１１の圧接部１１ａ上に当接すると共に、これに対応する個所の見切り部材１０の上面がパッキン５の水平部分における先端部の下面に当接し、これにより見切り部材１０の上面と時計ガラス４の下面との間にパッキン５の水平部分の厚さに対応する僅かな隙間をもって、金属板６の鍔部７と時計ガラス４との間に太陽電池部材８を覆って配置されている。
【００１７】
また、この見切り部材１０は、図１および図２に示すように、その内周部（図１では左端部）に鍔部７の内周端面を覆うカバー部１０ａが下側に突出して形成されている。このカバー部１０ａは、腕時計ケース１の内部側に位置する内端面が上方に向けて次第に広くなるテーパ面に形成され、その下端面が金属板６の鍔部７の下面とほぼ同じ高さに形成されている。また、この見切り部材１０の上面と下面との少なくとも一方（例えばこの実施形態では上面）には、装飾部１３が設けられている。この装飾部１３は、シボ加工などの装飾加工によって微細な凹凸部を形成することにより、光の透過性を損なうことなく、放射状、格子状などの模様や図形を表現するように形成されている。
【００１８】
ところで、この腕時計ケース１の内部には、図１に示すように、時計モジュール１４が収納されている。この時計モジュール１４は、アナログ機能とデジタル機能とのうち、少なくとも一方、例えばこの実施形態ではアナログ機能を備えている。このアナログ機能は、アナログムーブメント１５を備え、時計モジュール１４の上面に配置された文字板（図示せず）の上方に指針軸１６が突出し、この突出した指針軸１６の上端部に時針、分針などの指針１７が取り付けられ、この指針１７が文字板の上方を運針するように構成されている。この場合、指針１７および文字板は、見切り部材１０の内側に配置され、透明な時計ガラス４を通して腕時計ケース１の外部から見えるように構成されている。なお、腕時計ケース１の下部には、図１に示すように、裏蓋１８が防水リング１８ａを介して取り付けられている。
【００１９】
このような電子腕時計によれば、透明な時計ガラス４を通して外部光が腕時計ケース１内に採り込まれるので、時計モジュール１４の指針１７および文字板によって時刻を視認することができると共に、見切り部材１０が透明な合成樹脂で形成されていることにより、腕時計ケース１内に採り込まれた外部光が見切り部材１０を透過して太陽電池部材８に照射されるので、太陽電池部材８の各太陽電池素子１２で発電することができる。この場合、太陽電池部材８は、そのベース基板として絶縁性フィルム１１を用い、この絶縁性フィルム１１の上面に太陽電池素子１２を形成した構造であるから、ベース基板としてガラス板を用いた場合に比べて、太陽電池部材８の薄型化を図ることができる。すなわち、この太陽電池部材８は絶縁性フィルム１１が厚さ０．２ｍｍ程度であり、ベース基板がガラス板（その厚さが０．８ｍｍ程度）場合に比べて、十分に薄く形成することができる。
【００２０】
また、この太陽電池部材８は、ベース基板が絶縁性フィルム１１であるから、ベース基板としてガラス板を用いた場合よりも耐衝撃性が強く、このため先行文献のような耐衝撃構造を採用する必要がなく、太陽電池部材８を腕時計ケース１の鍔部７の上面に両面粘着テープ９で貼り付けるだけ良いので、取付構造が簡単で、容易に太陽電池部材８を腕時計ケース１内に組み込むことができる。特に、絶縁性フィルム１１は、図２に示すように、その外周部に圧接部１１ａが上方に向けて厚く形成され、且つこの圧接部１１ａを除く絶縁性フィルム１１の上面に太陽電池素子１２を圧接部１１ａの上面よりも低く形成したので、見切り部材１０を太陽電池部材８の上面に配置しても、圧接部１１ａによって見切り部材１０を支持することができ、これにより見切り部材８の圧接によって太陽電池素子１２が破損するのを防ぐことができる。
【００２１】
また、この太陽電池部材８は、ベース基板が絶縁性フィルム１１であるから、加工性が良く、打ち抜き加工により簡単に太陽電池部材８をリング状に形成することができる。この場合、リング状の太陽電池部材８のくり抜き部分を大きくしても、太陽電池部材８全体の強度がほとんど低下することがないため、太陽電池部材８のくり抜き部分の開口面積を広くすることができ、これにより時計モジュール１４の文字板および指針１７を大きく形成することができるので、太陽電池部材８のくり抜き部分に対応する表示領域を十分に広くすることができ、これにより時刻を良好に視認することができる。
【００２２】
さらに、時計ガラス４と鍔部７との間には、太陽電池部材８を覆う透明な見切り部材１０が配置されているので、この透明な見切り部材１０によって太陽電池部材８を良好に保護することができるほか、特にこの見切り部材１０の上面および下面の少なくとも一方（この実施形態では上面）に装飾部１３が設けられているので、太陽電池部材８の装飾性を高めることができ、付加価値の高いものを得ることができる。この場合には、装飾部１３がシボ加工などの装飾加工によって微細な凹凸部に形成されているので、この装飾部１３によって光の透過性が損なわれることがなく、外部光を十分に透過させることができ、これにより太陽電池素子１２による発電性能を妨げることなく、良好に太陽電池素子１２で発電することができる。
【００２３】
［第２実施形態］
次に、図４および図５を参照して、この発明の電子機器を電子腕時計に適用した第２実施形態について説明する。なお、図１および図２に示された第１実施形態と同一部分には同一符号を付して説明する。
この電子腕時計は、腕時計ケース１の内部に突出した金属板６の鍔部７の上面に太陽電池部材８を配置し、この太陽電池部材８を時計ガラス４の下面に密接させた構造になっている。この場合、腕時計ケース１の上部には、時計ガラス４がパッキン５を介して装着する開口部２２が上部から下部に亘って同じ内径で形成されている。
【００２４】
また、金属板６は、第１実施形態と同様、その外周側部分が腕時計ケース１内に埋め込まれ、内周側部分が開口部２２の下部から腕時計ケース１の内部に突出し、この突出した部分が鍔部７に形成されている。この場合、パッキン５は、第１実施形態と同様、全体がリング状をなし、その断面形状が垂直部部分と水平部分とを有するほぼＬ字状に形成され、その垂直部分が時計ガラス４の外周面と開口部２２の内周面との間に配置され、水平部分が時計ガラス４の下面と鍔部７の上面との間に配置され、これにより時計ガラス４の下面と鍔部７の上面との間に水平部分の厚さ分の隙間が形成されるように構成されている。
【００２５】
また、鍔部７の上面には、第１実施形態と同様、太陽電池部材８が両面粘着テープ９によって貼り付けられている。この太陽電池部材８は、その全体の厚みが鍔部７の上面と時計ガラス４の下面との間の隙間とほぼ同じ大きさに形成され、これにより太陽電池部材８の上面が時計ガラス４の下面に密接するように構成されている。この太陽電池部材８も、第１実施形態と同様、絶縁性フィルム１１の外周部分に圧接部１１ａが上方に厚く形成され、この圧接部１１ａを除く絶縁性フィルム１１の上面に複数の太陽電池素子１２が分割形成されている。この場合にも、太陽電池素子１２は、その上面が圧接部１１ａの上面よりも低くなるように絶縁性フィルム１１の上面に設けられている。また、この太陽電池部材８に対応する時計ガラス４の下面には、第１実施形態の見切り部材１０と同様、シボ加工などの装飾加工によって光を透過する装飾部１３が形成されている。
【００２６】
さらに、鍔部７の内周端面（図４では左端部面）には、リング状の見切り部材２０が配置されている。この見切り部材２０は、鍔部７の内周面に対向した状態で、時計ガラス４と時計モジュール２１との間に配置され、その全体の厚みが鍔部７と太陽電池部材８との両者の厚みとほぼ同じ大きさに形成され、その内周面（図４では左端部面）が上部に向けて次第に広くなるテーパ状に形成された構造になっている。また、時計モジュール２１は、デジタル機能を備えたものであり、液晶表示素子やＥＬ素子（エレクトロルミネッセンス素子）などの平面型の表示素子（図示せず）によって時刻などの情報を電気光学的に表示する表示部を備えた構成になっている。
【００２７】
このような電子腕時計によれば、第１実施形態と同様の作用効果があるほか、特に腕時計ケース１の内部に突出した金属板６の鍔部７の上面に貼り付けられた太陽電池部材８が時計ガラス４の下面に密接する構造であるから、時計ガラス４の下面と時計モジュール２１の上面との隙間Ｓ２を０．９５ｍｍ程度にすることができ、第１実施形態の場合（例えば第１実施形態ではＳ１が１．７５ｍｍ程度）よりも狭くすることができ、これにより表示素子を時計ガラス４に接近させることができるので、表示素子に表示された時刻などの情報の沈み込みを防ぐことができ、これにより良好に時刻などの情報を視認することができる。
【００２８】
また、この場合にも、見切り部材２０の開口部分つまり内周端面で囲われる領域を広くすることができるので、表示素子の表示領域を広くすることができ、これにより表示素子に表示された情報を見やすくすることができると共に、多くの情報を表示させることができる。また、この場合にも、太陽電池部材８の絶縁性フィルム１１に圧接部１１ａが上方に向けて厚く形成されているので、この圧接部１１ａが時計ガラス４の下面に圧接することにより、時計ガラス４の圧接によって太陽電池素子１２が破損するのを防ぐことができる。
【００２９】
なお、上記第１、第２実施形態では、太陽電池部材８を鍔部７上に両面粘着テープ９で貼り付けた場合について述べたが、必ずしも両面粘着テープ９で太陽電池部材８を鍔部７に貼り付ける必要はなく、例えば図３に示したように、太陽電池部材８の外周部における所定個所に位置決め凹部２５を設け、この位置決め凹部２５を鍔部７上の位置決め凸部（図示せず）に嵌合させて位置決めすることにより、両面粘着テープ９を用いずに、太陽電池部材８を鍔部７上に配置するように構成しても良い。
【００３０】
また、上記第１、第２実施形態では、腕時計ケース１に金属板６の外周側部分を埋め込んで、金属板６の内周側部分を腕時計ケース１内に突出させ、この突出した部分に鍔部７を形成した場合について述べたが、これに限らず、腕時計ケース１にその内部に突出する鍔部を一体に形成した構造でも良い。この場合には、腕時計ケース１を合成樹脂で形成しても良いが、金属で形成することが望ましい。
さらに、上記第１、第２実施形態およびその各変形例では、電子腕時計に適用した場合について述べたが、これに限らず、例えば携帯電話機、電卓、電子手帳、電子辞書など、太陽電池部材を備えた電子機器に広く適用することができる。
【００３１】
【発明の効果】
以上説明したように、この発明によれば、太陽電池部材のベース基板として絶縁性フィルムを用い、この絶縁性フィルムの上面に太陽電池素子を形成したので、太陽電池部材の薄型化を図ることができるほか、ベース基板としてガラス板を用いた場合よりも耐衝撃性が強いため、先行文献のような耐衝撃構造を採用する必要がなく、太陽電池部材をケースの鍔部の上面に配置するだけの簡単な構造で、容易に太陽電池部材をケース内に組み込むことができる。
【００３２】
また、太陽電池部材のベース基板が絶縁性フィルムであるから、加工性が良く、太陽電池部材を容易にリング状に形成することができる。特に、リング状の太陽電池部材のくり抜き部分を大きくしても、太陽電池部材全体の強度は低下しないため、太陽電池部材のくり抜き部分の開口面積を広くすることができ、これにより太陽電池部材のくり抜き部分に対応する表示部分の表示面積を広くすることができる。
【００３３】
また、ガラスと鍔部との間に太陽電池部材を覆う透明部材を配置することにより、透明部材で太陽電池部材を保護することができるほか、透明部材にシボ加工などの装飾加工により光を透過する装飾部を設けることができ、これにより太陽電池素子による発電性能を低下させずに、太陽電池部材の装飾性を高めることができ、付加価値の高いものを得ることができる。
【図面の簡単な説明】
【図１】この発明の電子機器を電子腕時計に適用した第１実施形態を示した要部の拡大断面図。
【図２】図１の主要部を更に拡大した断面図。
【図３】図２の太陽電池部材を示した拡大平面図。
【図４】この発明の電子機器を電子腕時計に適用した第２実施形態を示した要部の拡大断面図。
【図５】図４の主要部を更に拡大した断面図。
【符号の説明】
１  腕時計ケース
２、２２  開口部
４  時計ガラス
５  パッキン
６  金属板
７  鍔部
８  太陽電池部材
９  両面粘着テープ
１０、２０  見切り部材
１１  絶縁性フィルム
１２  太陽電池素子
１３  装飾部
１４、２１  時計モジュール
【図１】
2004286620.tif 000003
【図２】
2004286620.tif 000004
【図３】
2004286620.tif 000005
【図４】
2004286620.tif 000006
【図５】
2004286620.tif 000007